(57)【特許請求の範囲】
【請求項１】
音楽、ビデオ、または電子ブックからなる複数のコンテンツ種別にそれぞれ属するコンテンツを識別するコンテンツ識別情報を有するコンテンツが記憶されたコンテンツ記憶装置と前記コンテンツを授受する情報処理装置であって、
前記コンテンツ記憶装置から、前記コンテンツ記憶装置に記録されているコンテンツの中から、前記コンテンツ種別ごとに検索文字列に基づいて該当する前記コンテンツのコンテンツ識別情報を取得する識別情報取得部と、
前記識別情報取得部が取得した前記コンテンツ識別情報のリストを前記コンテンツ識別情報から得られるコンテンツ種別ごとにまとめて同一の領域にリスト表示させる表示制御部と、
前記表示制御部により表示されている前記コンテンツ識別情報のリストを前記コンテンツ種別ごとに、前記コンテンツ識別情報から得られるコンテンツ属性情報に基づいて並び替える並び替え制御部と、
を含み、
前記表示制御部は、前記コンテンツ種別ごとのリストの表示状態の変更を実行することを特徴とする、情報処理装置。
【請求項２】
前記コンテンツ識別情報を有するコンテンツを記憶するコンテンツ記憶部をさらに含み、
前記表示制御部は、前記コンテンツ記録部に記録されているコンテンツを前記コンテンツ識別情報から得られるコンテンツ種別ごとにまとめてリスト表示させることを特徴とする、請求項１に記載の情報処理装置。
【請求項３】
前記並び替え制御部は、前記コンテンツ記憶装置から機器識別情報を受信して、前記機器識別情報に基づいて前記コンテンツ識別情報のリストを前記コンテンツ種別ごとに並び替えるか、全てのコンテンツに対して並び替えるかを決定することを特徴とする、請求項１に記載の情報処理装置。
【請求項４】
前記表示制御部は、前記コンテンツ記憶装置から機器識別情報を受信して、前記機器識別情報に基づいてコンテンツ種別の表示内容を決定することを特徴とする、請求項１に記載の情報処理装置。
【請求項５】
前記表示制御部は、少なくとも１つのコンテンツ種別について、属性情報が同一のコンテンツについては属性情報ごとにまとめて表示させることを特徴とする、請求項１に記載の情報処理装置。
【請求項６】
前記表示制御部により表示されるコンテンツごとのリスト表示順をドラッグアンドドロップによって変更することを特徴とする、請求項１に記載の情報処理装置。
【請求項７】
前記並び替え制御部は、共通していないコンテンツ属性情報を指定して前記コンテンツ識別情報のリストを並び替える場合には、該コンテンツ属性情報を有しないコンテンツ種別については他のコンテンツ属性情報で前記コンテンツ識別情報のリストを並び替えることを特徴とする、請求項１に記載の情報処理装置。
【請求項８】
前記表示制御部は、指定された条件と部分一致するコンテンツ識別情報を有するコンテンツのコンテンツ識別情報を即時にリスト表示することを特徴とする、請求項１に記載の情報処理装置。
【請求項９】
音楽、ビデオ、または電子ブックからなる複数のコンテンツ種別にそれぞれ属するコンテンツを識別するコンテンツ識別情報と、コンテンツ種別情報と、少なくとも１つの属性情報と、を有するコンテンツを記憶するコンテンツ記憶部と、
前記コンテンツ記憶部に記憶されるコンテンツの中から、前記コンテンツ種別ごとに検索文字列に基づいて該当する前記コンテンツの前記コンテンツ識別情報のリストを前記コンテンツ種別ごとにまとめて同一の領域にリスト表示させる表示制御部と、
前記表示制御部により表示されている前記コンテンツ識別情報のリストを前記コンテンツ種別ごとに、前記コンテンツ識別情報から得られるコンテンツ属性情報に基づいて並び替える並び替え制御部と、
を含み、
前記表示制御部は、前記コンテンツ種別ごとのリストの表示状態の変更を実行することを特徴とする、情報処理装置。
【請求項１０】
音楽、ビデオ、または電子ブックからなる複数のコンテンツ種別にそれぞれ属するコンテンツを識別するコンテンツ識別情報を有するコンテンツが記憶されたコンテンツ記憶装置と前記コンテンツを授受する情報処理装置方法であって、
前記コンテンツ記憶装置から、前記コンテンツ記憶装置に記録されているコンテンツの中から、前記コンテンツ種別ごとに検索文字列に基づいて該当する前記コンテンツのコンテンツ識別情報を取得する識別情報取得ステップと、
前記識別情報取得ステップが取得した前記コンテンツ識別情報のリストを前記コンテンツ識別情報から得られるコンテンツ種別ごとにまとめて同一の領域にリスト表示させる表示制御ステップと、
前記表示制御ステップにより表示されている前記コンテンツ識別情報のリストを前記コンテンツ種別ごとに、前記コンテンツ識別情報から得られるコンテンツ属性情報に基づいて並び替える並び替え制御ステップと、
前記コンテンツ種別ごとのリストの表示状態を実行する開閉ステップと、
を含むことを特徴とする、情報処理方法。
【請求項１１】
音楽、ビデオ、または電子ブックからなる複数のコンテンツ種別にそれぞれ属するコンテンツを識別するコンテンツ識別情報を有するコンテンツが記憶されたコンテンツ記憶装置と、前記コンテンツ記憶装置との間で前記コンテンツを授受する情報処理装置と、を含むコンテンツ授受システムであって、
前記情報処理装置は、
前記コンテンツ記憶装置から、前記コンテンツ記憶装置に記録されているコンテンツの中から、前記コンテンツ種別ごとに検索文字列に基づいて該当する前記コンテンツのコンテンツ識別情報を取得する識別情報取得部と、
前記識別情報取得部が取得した前記コンテンツ識別情報のリストを前記コンテンツ識別情報から得られるコンテンツ種別ごとにまとめて同一の領域にリスト表示させる表示制御部と、
前記表示制御部により表示されている前記コンテンツ識別情報のリストを前記コンテンツ種別ごとに、前記コンテンツ識別情報から得られるコンテンツ属性情報に基づいて並び替える並び替え制御部と、
を含み、
前記表示制御部は、前記コンテンツ種別ごとのリストの表示状態の変更を実行することを特徴とする、コンテンツ授受システム。
【請求項１２】
音楽、ビデオ、または電子ブックからなる複数のコンテンツ種別にそれぞれ属するコンテンツを識別するコンテンツ識別情報を有するコンテンツが記憶されたコンテンツ記憶装置と前記コンテンツを授受するコンピュータプログラムであって、コンピュータに、
前記コンテンツ記憶装置から、前記コンテンツ記憶装置に記録されているコンテンツの中から、前記コンテンツ種別ごとに検索文字列に基づいて該当する前記コンテンツのコンテンツ識別情報を取得する識別情報取得ステップと、
前記識別情報取得ステップが取得した前記コンテンツ識別情報のリストを前記コンテンツ識別情報から得られるコンテンツ種別ごとにまとめて同一の領域にリスト表示させる表示制御ステップと、
前記表示制御ステップにより表示されている前記コンテンツ識別情報のリストを前記コンテンツ種別ごとに、前記コンテンツ識別情報から得られるコンテンツ属性情報に基づいて並び替える並び替え制御ステップと、
前記コンテンツ種別ごとのリストの表示状態の変更を実行するリスト表示変更ステップと、
を含む処理を実行させることを特徴とする、コンピュータプログラム。
【発明の詳細な説明】
【技術分野】
【０００１】
本発明は、情報処理装置、情報処理方法、コンテンツ授受システム、およびコンピュータプログラムに関し、より詳細には、保存されているコンテンツを効率よく探し出せるようにする情報処理装置、情報処理方法、コンテンツ授受システム、およびコンピュータプログラムに関する。
【背景技術】
【０００２】
パーソナルコンピュータのような情報処理装置に記録されているテキストファイル、映像ファイル、楽曲ファイル等は、分類を容易にするために情報処理装置のユーザによって階層構造で整理されて保存されることが多い。例えば、テキストファイルを格納するフォルダ、映像ファイルを格納するフォルダ、楽曲ファイルを格納するフォルダ等を用意し、それらのフォルダに、さらに階層構造を有するようにフォルダを作成して、作成したフォルダにファイルを格納することで、データ管理が容易となる。
【０００３】
この様に階層構造で整理されて保存された楽曲や映像（以降、これらを総称して「コンテンツ」とも称する）が記録されたファイルを再生する際には、いわゆるジュークボックスプログラムと呼ばれるアプリケーションを使用することが多い（例えば、特許文献１参照）。ジュークボックスプログラムでは、画面上にコンテンツが一覧表示され、コンテンツの種別ごとに（例えば楽曲ごと、または映像ごとに）コンテンツを表示したり、特定のアーティストやアルバム、ジャンルに属するコンテンツを絞り込んで表示したりすることができる。
【０００４】
また、最近では情報処理装置に小型の携帯端末を接続し、この携帯端末と情報処理装置との間でコンテンツをやり取りするコンテンツ授受システムが広く普及している。かかるコンテンツ授受システムにおいては、ジュークボックスプログラムを用いてコンテンツをやり取りするが、かかるジュークボックスプログラムにおいては、情報処理装置に保存されているコンテンツだけでなく、携帯端末に保存されているコンテンツも表示することができ、ジュークボックスプログラムを用いて携帯端末に新たにコンテンツを転送したり、携帯端末に保存されているコンテンツを削除したりすることができる。
【０００５】
【特許文献１】特開２００２−１１６９３３号公報
【発明の開示】
【発明が解決しようとする課題】
【０００６】
しかし、従来においては、かかるジュークボックスプログラムにおいてはコンテンツ種別単位、つまり楽曲単位、映像単位等でしか一覧表示することができなかった。複数のコンテンツ種別が混在された状態で一覧表示するプログラムも存在するが、そのようなプログラムでコンテンツを一覧表示する場合には、例えばタイトルで並び替えを行おうとすると、複数のコンテンツ種別が混在された状態でタイトルによる並び替えが行われてしまい、コンテンツ種別単位で並び替えを行うことができない問題があった。
【０００７】
そこで、本発明は、上記問題に鑑みてなされたものであり、本発明の目的とするところは、機器に保存されているコンテンツを効率よく探し出せるように、複数のコンテンツ種別に属するコンテンツを同時に表示する際にコンテンツ種別毎にコンテンツの一覧を表示し、コンテンツ種別単位でコンテンツの一覧の並び替えを実行することが可能な、新規かつ改良された情報処理装置、情報処理方法、コンテンツ授受システム、およびコンピュータプログラムを提供することにある。
【課題を解決するための手段】
【０００８】
上記課題を解決するために、本発明のある観点によれば、コンテンツを識別するコンテンツ識別情報を有するコンテンツが記憶されたコンテンツ記憶装置とコンテンツを授受する情報処理装置であって、コンテンツ記憶装置から該コンテンツ記憶装置に記録されているコンテンツのコンテンツ識別情報を取得する識別情報取得部と、識別情報取得部が取得したコンテンツ識別情報のリストをコンテンツ識別情報から得られるコンテンツ種別ごとにまとめてリスト表示させる表示制御部と、表示制御部により表示されているコンテンツ識別情報のリストをコンテンツ種別ごとに、コンテンツ識別情報から得られるコンテンツ属性情報に基づいて並び替える並び替え制御部と、を含むことを特徴とする、情報処理装置が提供される。
【０００９】
かかる構成によれば、識別情報取得部は、コンテンツ記憶装置から該コンテンツ記憶装置に記録されているコンテンツのコンテンツ識別情報を取得し、表示制御部は、識別情報取得部が取得したコンテンツ識別情報のリストをコンテンツ識別情報から得られるコンテンツ種別ごとにまとめてリスト表示させる。そして、並び替え制御部は表示制御部により表示されているコンテンツ識別情報のリストをコンテンツ種別ごとに、コンテンツ識別情報から得られるコンテンツ属性情報に基づいて並び替える。その結果、コンテンツ記憶装置に保存されているコンテンツを効率よく探し出せるように、複数のコンテンツ種別に属するコンテンツを同時に表示する際にコンテンツ種別毎にコンテンツの一覧を表示し、コンテンツ種別単位でコンテンツの一覧の並び替えを実行することができる。
【００１０】
上記情報処理装置は、コンテンツ識別情報を有するコンテンツを記憶するコンテンツ記憶部をさらに含み、表示制御部は、コンテンツ記録部に記録されているコンテンツをコンテンツ識別情報から得られるコンテンツ種別ごとにまとめてリスト表示させてもよい。かかる構成によれば、表示制御部は、コンテンツ識別情報を有するコンテンツを記憶するコンテンツ記録部からコンテンツ識別情報を取得し、コンテンツ識別情報から得られるコンテンツ種別ごとにまとめてリスト表示させる。その結果、情報処理装置に保存されているコンテンツを効率よく探し出せるように、複数のコンテンツ種別に属するコンテンツを同時に表示する際にコンテンツ種別毎にコンテンツの一覧を表示し、コンテンツ種別単位でコンテンツの一覧の並び替えを実行することができる。
【００１１】
並び替え制御部は、コンテンツ記憶装置から機器識別情報を受信して、機器識別情報に基づいてコンテンツ識別情報のリストをコンテンツ種別ごとに並び替えるか、全てのコンテンツに対して並び替えるかを決定してもよい。また、表示制御部は、コンテンツ記憶装置から機器識別情報を受信して、機器識別情報に基づいてコンテンツ種別の表示内容を決定してもよい。かかる構成によれば、表示制御部は、コンテンツ記憶装置から受信した機器識別情報に基づいてコンテンツ種別の表示内容を決定する。その結果、コンテンツ記憶装置の種類によってコンテンツ種別毎にコンテンツの一覧を表示するか否かを判断することができる。
【００１２】
表示制御部は、少なくとも１つのコンテンツ種別について、属性情報が同一のコンテンツについては属性情報ごとにまとめて表示させてもよい。かかる構成によれば、表示制御部は、少なくとも１つのコンテンツ種別について、同一の属性情報を有するコンテンツについては属性情報ごとにまとめて表示させる。その結果、同一の属性情報に属するコンテンツを当該属性情報ごとにまとめることで、コンテンツの把握が容易となる。
【００１３】
表示制御部により表示されるコンテンツごとのリスト表示順をドラッグアンドドロップによって変更してもよい。また、並び替え制御部は、共通していないコンテンツ属性情報を指定してコンテンツ識別情報のリストを並び替える場合には、該コンテンツ属性情報を有しないコンテンツ種別については他のコンテンツ属性情報でコンテンツ識別情報のリストを並び替えてもよい。また、表示制御部は、指定された条件に合致するコンテンツ識別情報のみを即時にリスト表示してもよい。
【００１４】
また、上記課題を解決するために、本発明の別の観点によれば、コンテンツを識別するコンテンツ識別情報と、コンテンツ種別情報と、少なくとも１つの属性情報と、を有するコンテンツを記憶するコンテンツ記憶部と、コンテンツ記憶部に記憶されるコンテンツ識別情報のリストをコンテンツ種別ごとにまとめてリスト表示させる表示制御部と、表示制御部により表示されているコンテンツ識別情報のリストをコンテンツ種別ごとに、コンテンツ識別情報から得られるコンテンツ属性情報に基づいて並び替える並び替え制御部と、を含むことを特徴とする、情報処理装置が提供される。
【００１５】
かかる構成によれば、コンテンツ記憶部は、コンテンツを識別するコンテンツ識別情報と、コンテンツ種別情報と、少なくとも１つの属性情報と、を有するコンテンツを記憶し、表示制御部は、コンテンツ記憶部に記憶されるコンテンツ識別情報のリストをコンテンツ種別ごとにまとめてリスト表示させる。そして並び替え制御部は、表示制御部により表示されているコンテンツ識別情報のリストを、コンテンツ種別ごとに、コンテンツ記憶部に記憶されているコンテンツ識別情報から取得したコンテンツ属性情報に基づいて並び替えを行う。その結果、情報処理装置に保存されているコンテンツを効率よく探し出せるように、複数のコンテンツ種別に属するコンテンツを同時に表示する際にコンテンツ種別毎にコンテンツの一覧を表示し、コンテンツ種別単位でコンテンツの一覧の並び替えを実行することができる。
【００１６】
また、上記課題を解決するために、本発明の別の観点によれば、コンテンツを識別するコンテンツ識別情報を有するコンテンツが記憶されたコンテンツ記憶装置とコンテンツを授受する情報処理装置方法であって、コンテンツ記憶装置から該コンテンツ記憶装置に記録されているコンテンツのコンテンツ識別情報を取得する識別情報取得ステップと、識別情報取得ステップが取得したコンテンツ識別情報のリストをコンテンツ識別情報から得られるコンテンツ種別ごとにまとめてリスト表示させる表示制御ステップと、表示制御ステップにより表示されているコンテンツ識別情報のリストをコンテンツ種別ごとに、コンテンツ識別情報から得られるコンテンツ属性情報に基づいて並び替える並び替え制御ステップと、を含むことを特徴とする、情報処理方法が提供される。
【００１７】
また、上記課題を解決するために、本発明の別の観点によれば、コンテンツを識別するコンテンツ識別情報を有するコンテンツが記憶されたコンテンツ記憶装置と、コンテンツ記憶装置との間でコンテンツを授受する情報処理装置と、を含むコンテンツ授受システムであって、情報処理装置は、コンテンツ記憶装置から該コンテンツ記憶装置に記録されているコンテンツのコンテンツ識別情報を取得する識別情報取得部と、識別情報取得部が取得したコンテンツ識別情報のリストをコンテンツ識別情報から得られるコンテンツ種別ごとにまとめてリスト表示させる表示制御部と、表示制御部により表示されているコンテンツ識別情報のリストをコンテンツ種別ごとに、コンテンツ識別情報から得られるコンテンツ属性情報に基づいて並び替える並び替え制御部と、を含むことを特徴とする、コンテンツ授受システムが提供される。
【００１８】
また、上記課題を解決するために、本発明の別の観点によれば、コンテンツを識別するコンテンツ識別情報を有するコンテンツが記憶されたコンテンツ記憶装置とコンテンツを授受するコンピュータプログラムであって、コンピュータに、コンテンツ記憶装置から該コンテンツ記憶装置に記録されているコンテンツのコンテンツ識別情報を取得する識別情報取得ステップと、識別情報取得ステップが取得したコンテンツ識別情報のリストをコンテンツ識別情報から得られるコンテンツ種別ごとにまとめてリスト表示させる表示制御ステップと、表示制御ステップにより表示されているコンテンツ識別情報のリストをコンテンツ種別ごとに、コンテンツ識別情報から得られるコンテンツ属性情報に基づいて並び替える並び替え制御ステップと、を含む処理を実行させることを特徴とする、コンピュータプログラムが提供される。
【発明の効果】
【００１９】
以上説明したように本発明によれば、複数のコンテンツ種別に属するコンテンツを同時に表示する際に、コンテンツ種別毎にコンテンツの一覧を表示し、コンテンツ種別単位でコンテンツの一覧の並び替えを実行することが可能な、新規かつ改良された情報処理装置、情報処理方法、コンテンツ授受システム、およびコンピュータプログラムを提供することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
まず、本発明の一実施形態にかかるコンテンツ授受システムについて説明する。図１は、本発明の一実施形態にかかるコンテンツ授受システム１０について説明する説明図である。以下、図１を用いて本発明の一実施形態にかかるコンテンツ授受システム１０について説明する。
【００２２】
図１に示したように、本発明の一実施形態にかかるコンテンツ授受システム１０は、情報処理装置１００と、携帯端末２００と、を含んで構成される。図１に示したコンテンツ授受システム１０は、情報処理装置１００と携帯端末２００との間でコンテンツをやり取りするものである。例えば、コンパクトディスク（ＣＤ）から情報処理装置１００に取り込んだ楽曲を携帯端末２００に転送したり、携帯端末２００で楽曲配信事業者等のサーバから通信ネットワーク経由でダウンロードした楽曲を、情報処理装置１００にバックアップしたりすることができる。情報処理装置１００と携帯端末２００とは、例えばＵＳＢ（Ｕｎｉｖｅｒｓａｌ  Ｓｅｒｉａｌ  Ｂｕｓ）ケーブルやＩＥＥＥ１３９４に準拠したケーブル等で接続することができる。
【００２３】
情報処理装置１００は、例えばパーソナルコンピュータ（ＰＣ）のような、内部に各種情報を格納して使用する機器である。本実施形態においては、情報処理装置１００と携帯端末２００との間でコンテンツの授受を行ったり、情報処理装置１００から携帯端末２００に記憶されているコンテンツの管理（例えばコンテンツの編集、削除等）を行ったりする。情報処理装置１００の内部構成については後に詳述する。
【００２４】
携帯端末２００は、例えば携帯電話、携帯型ゲーム機、携帯型音楽再生装置等のように、携帯して持ち運ぶための小型の端末である。本実施形態では、携帯端末２００として携帯電話を例に挙げて説明する。携帯端末２００の内部構成については後に詳述する。
【００２５】
以上、本発明の一実施形態にかかるコンテンツ授受システム１０について説明した。次に、本発明の一実施形態にかかる情報処理装置１００の構成について説明する。
【００２６】
図２は、本発明の一実施形態にかかる情報処理装置１００の構成について説明する説明図である。以下、図２を用いて本発明の一実施形態にかかる情報処理装置１００の構成について説明する。
【００２７】
図２に示したように、本発明の一実施形態にかかる情報処理装置１００は、ＣＰＵ（Ｃｅｎｔｒａｌ  Ｐｒｏｃｅｓｓｉｎｇ  Ｕｎｉｔ）１０２と、ＲＯＭ（Ｒｅａｄ  Ｏｎｌｙ  Ｍｅｍｏｒｙ）１０４と、ＲＡＭ（Ｒａｎｄｏｍ  Ａｃｃｅｓｓ  Ｍｅｍｏｒｙ）１０６と、内部バス１０８と、入出力インタフェース１１０と、表示部１１２と、入力部１１４と、音声出力部１１５と、ＨＤＤ（Ｈａｒｄ  Ｄｉｓｋ  Ｄｒｉｖｅ）１１６と、ドライブ１１７と、ネットワークインタフェース１１８と、外部インタフェース１１９と、を含んで構成される。
【００２８】
ＣＰＵ１０２は、数値計算や情報処理、機器制御等を行うものであり、ＲＯＭ１０４に格納されたプログラムや、ＲＡＭ１０６に格納されたデータを順次読み出すことによって、また、例えば情報処理装置１００のユーザが入力部１１４から入力した指令に対応する信号や、ネットワークインタフェース１１８を介して外部の機器から送信された信号に基づいて、数値計算や情報処理、機器制御を行う。
【００２９】
ＲＯＭ１０４は、ＣＰＵ１０２が数値計算や情報処理、機器制御等を行う際に使用するプログラムや演算用のパラメータのうち、基本的に変更されず固定のデータを格納するものである。また、ＲＡＭ１０６は、ＣＰＵ１０２が数値計算や情報処理、機器制御等を行う際に使用するプログラムや演算用のパラメータのうち、基本的に各種処理の際に適宜変化するデータを格納するものである。
【００３０】
内部バス１０８は、情報処理装置１００の内部でデータの交換を行う際の経路である。ＣＰＵ１０２、ＲＯＭ１０４、ＲＡＭ１０６は、内部バス１０８によってそれぞれ相互に接続されている。また、内部バスは入出力インタフェース１１０とも接続されており、入出力インタフェース１１０を介して送られる、入力部１１４から入力した指令に対応する信号や、ネットワークインタフェース１１８を介して情報処理装置１００とネットワークで接続される他の機器から送信された信号をＣＰＵ１０２に渡す。
【００３１】
入出力インタフェース１１０は、情報の入出力のやり取りの仲介を行うものである。入出力インタフェース１１０は、表示部１１２、入力部１１４、音声出力部１１５、ドライブ１１７、ネットワークインタフェース１１８および外部インタフェース１１９に接続される。また入出力インタフェース１１０は、上述のように内部バス１０８とも接続されており、入力部１１４から入力した指令に対応する信号や、ネットワークインタフェース１１８を介して情報処理装置１００とネットワークで接続される他の機器から送信された信号を、内部バス１０８を介してＣＰＵ１０２に渡す。
【００３２】
表示部１１２は、入力部１１４から入力された内容や、ＣＰＵ１０２で数値計算や情報処理、機器制御等を行った結果等に関する情報を表示するものである。表示部１１２は、例えば液晶表示装置や有機ＥＬ表示装置等からなる。
【００３３】
入力部１１４は、例えば情報処理装置１００のユーザが、ＣＰＵ１０２に対して各種の指令を入力する際に操作されるものである。入力部１１４としては、例えばボタン、キーボードやタッチパッド等からなる。
【００３４】
音声出力部１１５は、情報処理装置１００において音声の出力を伴うような処理を実行した際に、当該処理において発生する音声を出力するものである。ＨＤＤ１１６は、内部にハードディスクを設け、設けられたハードディスクを駆動し、ＣＰＵ１０２によって読み出されて実行されるプログラムや情報（例えば動画ファイル）を記録・再生するものである。ドライブ１１７は、持ち運び可能な記録媒体が装着され、装着された記録媒体と情報処理装置１００との間でデータの授受を行うものである。持ち運び可能な記録媒体として、磁気ディスク、光ディスク、光磁気ディスク、半導体メモリ等を用いてもよく、ドライブ１１７はこれらの記録媒体を読み取ることができるような装置を用いることができる。
【００３５】
ネットワークインタフェース１１８は、情報処理装置１００とネットワークで接続される他の機器、例えば携帯端末２００との間で無線または有線によって情報の授受を行うものである。外部インタフェース１１９は、情報処理装置１００に接続して使用する周辺機器、例えば携帯端末２００との間で情報のやり取りの仲介を行うものである。外部インタフェース１１９として、例えばＵＳＢ（Ｕｎｉｖｅｒｓａｌ  Ｓｅｒｉａｌ  Ｂｕｓ）ポート等からなる。
【００３６】
以上、図２を用いて本発明の一実施形態にかかる情報処理装置１００のハードウェア構成について説明した。次に、本発明の一実施形態にかかる情報処理装置１００の機能構成について説明する。
【００３７】
図３は、本発明の一実施形態にかかる情報処理装置１００の機能構成について説明する説明図である。以下、図３を用いて本発明の一実施形態にかかる情報処理装置１００の機能構成について説明する。
【００３８】
図３に示したように、本発明の一実施形態にかかる情報処理装置１００は、識別情報取得部１２２と、表示制御部１２４と、並び替え制御部１２６と、を含んで構成される。
【００３９】
識別情報取得部１２２は、情報処理装置１００および携帯端末２００に記憶されているコンテンツを識別するコンテンツ識別情報を取得するものである。コンテンツを識別するコンテンツ識別情報とは、一のコンテンツを他のコンテンツと見分けるための情報のことであり、コンテンツ識別情報には、コンテンツについての各種の属性、例えば、コンテンツの種別、コンテンツのタイトル、コンテンツのサイズ、コンテンツの再生時間、コンテンツの登録日時、コンテンツのアーティスト、コンテンツの更新日時、コンテンツのジャンル、ユーザが下したコンテンツに対する評価等が含まれる。
【００４０】
表示制御部１２４は、識別情報取得部１２２が取得したコンテンツ識別情報のリストを、コンテンツ識別情報から得られるコンテンツ種別ごとにまとめて、表示部１１２へ表示させるものである。コンテンツ識別情報から得られるコンテンツ種別としては、例えば、音楽、ビデオ、プレイリスト、写真、電子ブック、ゲーム、アドレス帳等が含まれる。
【００４１】
並び替え制御部１２６は、表示制御部１２４により表示部１１２に表示されているコンテンツ識別情報のリストを、コンテンツ種別ごとに、コンテンツ識別情報から得られるコンテンツ属性情報に基づいて並び替えるものである。並び替え制御部１２６によるコンテンツ識別情報のリストの並び替えは、例えばユーザが入力部１１３を操作することによって行ってもよい。例えば、コンテンツ識別情報のリストをコンテンツのタイトルの降順に並び替えるように、ユーザが入力部１１３を操作した場合には、並び替え制御部１２６は、コンテンツ種別ごとに、表示部１１２に表示されているコンテンツ識別情報のリストをコンテンツのタイトルの降順に並び替える。具体的な動作については後に詳述する。
【００４２】
以上、本発明の一実施形態にかかる情報処理装置１００の機能構成について説明した。次に、本発明の一実施形態にかかる携帯端末２００の構成について説明する。
【００４３】
図４は、本発明の一実施形態にかかる携帯端末２００の構成について説明する説明図である。以下、図４を用いて本発明の一実施形態にかかる携帯端末２００の構成について説明する。
【００４４】
図４に示したように、本発明の一実施形態にかかる携帯端末２００は、ＣＰＵ２０２と、ＲＯＭ２０４と、ＲＡＭ２０６と、内部バス２０８と、入出力インタフェース２１０と、表示部２１２と、入力部２１４と、音声出力部２１５と、音声入力部２１６と、フラッシュメモリ２１７と、ネットワークインタフェース２１８と、外部インタフェース２１９と、を含んで構成される。
【００４５】
ここで、ＣＰＵ２０２、ＲＯＭ２０４、ＲＡＭ２０６、内部バス２０８、入出力インタフェース２１０、表示部２１２、入力部２１４、音声出力部２１５、音声入力部２１６、ネットワークインタフェース２１８、および外部インタフェース２１９は、図２に示した情報処理装置１００における、ＣＰＵ１０２、ＲＯＭ１０４、ＲＡＭ１０６、内部バス１０８、入出力インタフェース１１０、表示部１１２、入力部１１４、音声出力部１１５、ネットワークインタフェース１１８、および外部インタフェース１１９と同様の機能を有するため、詳細な説明は省略する。なお、携帯端末２００におけるこれらの構成要素は、携帯して使用するという性質上、情報処理装置１００におけるこれらの構成要素と比較して機能面での制限を有している場合がある。
【００４６】
フラッシュメモリ２１７は、書き換え可能なメモリであり、ＲＡＭ２０６とは異なり、電源を切ってもデータが消去されない不揮発性のメモリである。従って、フラッシュメモリ２１７に電話帳のデータ、携帯端末２００で受信したメール、通信ネットワーク経由でダウンロードしたり情報処理装置１００から転送されたりしたコンテンツの保存に適している。
【００４７】
なお、図４には図示していないが、携帯端末２００には、メモリースティック（商標）のような小型の記録媒体を装填可能なスロットを設けていてもよい。スロットに小型の記録媒体を装填することで、フラッシュメモリ２１７以外にもコンテンツを格納することができる。
【００４８】
以上、図４を用いて本発明の一実施形態にかかる携帯端末２００の構成について説明した。次に、本発明の一実施形態にかかるコンテンツ授受システム１０で用いるために情報処理装置１００に表示する画面について説明する。
【００４９】
図５および図６は、本発明の一実施形態にかかるコンテンツ授受システム１０で用いるために情報処理装置１００に表示する画面の一例を示す説明図である。以下、図５および図６を用いて本発明の一実施形態にかかるコンテンツ授受システム１０で用いるために情報処理装置１００に表示する画面について説明する。
【００５０】
図５は、本発明の一実施形態にかかるジュークボックスプログラム１３０を情報処理装置１００で実行した場合に、表示部１１２に表示される画面について示したものである。ジュークボックスプログラム１３０は、例えばＨＤＤ１１６にプログラム本体が格納され、当該プログラムをＲＡＭ１０６にロードして、ＣＰＵ１０２からＲＡＭ１０６にロードされたプログラムを順次実行することによって実行される。本発明の一実施形態にかかるジュークボックスプログラム１３０は、コンテンツ操作部１３２と、サイドバー１３４と、ＰＣコンテンツ表示部１３６と、を含んだ情報を表示部１１２に表示する。
【００５１】
コンテンツ操作部１３２は、ＰＣコンテンツ表示部１３６に表示されているコンテンツに対して、コンテンツの再生、一時停止、停止、再生中のコンテンツの音量の調整、再生位置の調整、コンテンツのスキップ、繰り返し再生、シャッフル再生等を指示するものである。また、コンテンツ操作部１３２には、再生中のコンテンツのジャケットや、再生中のコンテンツに関連する画像等を表示してもよい。
【００５２】
サイドバー１３４は、ＰＣコンテンツ表示部１３６へのコンテンツ表示を切り替えたり、情報処理装置１００と携帯端末２００との間のコンテンツの授受を実行したりするものである。例えば、サイドバー１３４において「ライブラリ」の「ミュージックライブラリ」をマウスのクリック等で選択すると、ＰＣコンテンツ表示部１３６には情報処理装置１００で再生が可能な、音楽に関するコンテンツが一覧表示される。「ミュージックライブラリ」以下の「ミュージック」を選択すると、音楽に関するコンテンツの中から、ＭＰ３（ＭＰＥＧ  Ａｕｄｉｏ  Ｌａｙｅｒ−３）やＡＡＣ（Ａｄｖａｎｃｅｄ  Ａｕｄｉｏ  Ｃｏｄｉｎｇ）、ＡＴＲＡＣ（Ａｄａｐｔｉｖｅ  Ｔｒａｎｓｆｏｒｍ  Ａｃｏｕｓｔｉｃ  Ｃｏｄｉｎｇ）等の圧縮方式で符号化された楽曲ファイルが抽出されてＰＣコンテンツ表示部１３６に表示される。もちろん、種別を問わずに全てのコンテンツを一覧表示するようにサイドバー１３４から選択することもできる。
【００５３】
ＰＣコンテンツ表示部１３６は、情報処理装置１００で再生が可能なコンテンツの一覧が表示されるものである。情報処理装置１００で再生が可能なコンテンツの一覧の表示は、上述した表示制御部１２４が行う。ＰＣコンテンツ表示部１３６に表示されるコンテンツの一覧は、サイドバー１３４を操作することによって変化する。ＰＣコンテンツ表示部１３６には、識別情報取得部１２２が取得したコンテンツの属性情報が一覧形式で表示され、コンテンツの属性情報としては、例えばコンテンツのタイトル、コンテンツの再生時間、コンテンツのアーティスト名、コンテンツが含まれているアルバム名、ユーザがコンテンツに対して設定した評価、コンテンツのサイズ、コンテンツの情報処理装置１００への登録日時、コンテンツのジャンル等を含んでいてもよい。これらのコンテンツの属性情報はメタデータの形式で情報処理装置１００の内部、例えばＨＤＤ１１６に格納される。
【００５４】
ジュークボックスプログラム１３０でコンテンツを再生する際には、どのコンテンツを再生しているかを分かりやすくするために、再生中のコンテンツがＰＣコンテンツ表示部１３６において強調表示される。また、再生中の楽曲のタイトルやアーティスト名はコンテンツ操作部１３２に表示される。
【００５５】
ＰＣコンテンツ表示部１３６には、カラムヘッダ１３７が含まれる。カラムヘッダ１３７には、ＰＣコンテンツ表示部１３６に一覧表示されるコンテンツの属性の名称が表示される。図５では、コンテンツの属性として、タイトル、時間（再生時間）、アーティスト、アルバム、評価、サイズ、および登録日時が表示されている。もちろん、本発明においては図５に示したもの以外の属性も表示してもよく、カラムヘッダ１３７への属性の表示順も、図５に示したもの以外の順序であってもよい。また、カラムヘッダ１３７に表示される属性の表示順は、情報処理装置１００のユーザの入力部１１３の操作によって、例えばマウスのドラッグアンドドロップ操作によって入れ替えが可能であってもよい。
【００５６】
情報処理装置１００のユーザは、カラムヘッダ１３７に対して入力部１１３を用いて操作することで、例えば、マウスを操作してカラムヘッダ１３７にマウスカーソルを合わせ、マウスでカラムヘッダ１３７をクリックすることで、コンテンツの一覧の並び替えを行うことができる。コンテンツの一覧の並び替えは、上述した並び替え制御部１２６が行う。例えば、カラムヘッダ１３７の「タイトル」欄をクリックすると、クリックを検知した並び替え制御部１２６はタイトルの昇順でコンテンツの一覧の並び替えを行い、既にタイトルの昇順でコンテンツの一覧の並び替えが行われていれば、並び替え制御部１２６はタイトルの降順でコンテンツの一覧の並び替えを行う。
【００５７】
図５では、ＰＣコンテンツ表示部１３６にはテキストによってコンテンツの一覧を表示していたが、本発明においては、表示形式はかかる例に限られない。例えば、ユーザの操作部１１３の操作によって、コンテンツの一覧をコンテンツが含まれているアルバムのジャケット画像を、いわゆるサムネイル形式で表示してもよい。コンテンツの一覧をサムネイル形式で表示する場合には、画面の左から右方向、および上から下方向にかけてソートが行われるように表示することが望ましい。
【００５８】
なお、ジュークボックスプログラム１３０は検索文字列入力部１３３を表示させてもよい。検索文字列入力部１３３に検索対象の文字列を入力して検索すると、当該文字列とタイトル、アーティスト名、アルバム名等が部分一致するコンテンツを検索し、ＰＣコンテンツ表示部１３６に絞り込んで表示させてもよい。検索する場合には、逐語検索してＰＣコンテンツ表示部１３６に絞り込んだコンテンツの一覧を表示させてもよく、検索したい単語をすべて入力した上で検索して、ＰＣコンテンツ表示部１３６に絞り込んだコンテンツの一覧を表示させてもよい。
【００５９】
かかるジュークボックスプログラム１３０は、情報処理装置１００と携帯端末２００との間のコンテンツの授受に用いられる。次に、図６において情報処理装置１００に携帯端末２００を接続して、携帯端末２００に記憶されているコンテンツの一覧を表示したり、情報処理装置１００と携帯端末２００との間でコンテンツを授受したりする場合の、ジュークボックスプログラム１３０の画面例について示す。
【００６０】
図６は、情報処理装置１００に携帯端末２００が接続されている状態でジュークボックスプログラム１３０を実行した場合において、表示部１１２に表示される画面について示したものである。図６では、図５に示したＰＣコンテンツ表示部１３６の幅が狭くなり、別途、端末コンテンツ表示部１３８が表示されている。そして、情報処理装置１００と携帯端末２００との間でコンテンツをやり取りするためのコンテンツ転送ボタン１３５も表示されている。ジュークボックスプログラム１３０のユーザは、コンテンツ転送ボタン１３５をマウスのクリック等で選択することにより、情報処理装置１００と携帯端末２００との間でコンテンツをやり取りすることができる。
【００６１】
端末コンテンツ表示部１３８は、携帯端末２００の内部に（例えばフラッシュメモリ２１７に）記憶されているコンテンツの一覧を、コンテンツの種別ごとに段分けしてまとめて表示するものである。携帯端末２００のコンテンツの属性は識別情報取得部１２２が取得する。携帯端末２００に記憶されているコンテンツを種別ごとにまとめた一覧の表示は、上述した表示制御部１２４が行う。また、端末コンテンツ表示部１３８には、ＰＣコンテンツ表示部１３６におけるカラムヘッダ１３７と同様に、カラムヘッダ１３９が表示されている。
【００６２】
図６に示したように、本発明の一実施形態にかかるコンテンツ授受システムにおいては、ジュークボックスプログラム１３０においてＰＣコンテンツ表示部１３６と端末コンテンツ表示部１３８とを並べて表示部１１２に表示する。そして、ユーザはジュークボックスプログラム１３０を使用して、情報処理装置１００と携帯端末２００との間でコンテンツを授受することができる。
【００６３】
図７は、説明の便宜上、図６に示したジュークボックスプログラム１３０の画面から、端末コンテンツ表示部１３８を抜き出して説明する説明図である。上述したように、端末コンテンツ表示部１３８には、携帯端末２００の内部に（例えばフラッシュメモリ２１７に）記憶されているコンテンツの一覧が、コンテンツの種別ごとにまとめて表示される。
【００６４】
また、端末コンテンツ表示部１３８には、ＰＣコンテンツ表示部１３６におけるカラムヘッダ１３７と同様に、カラムヘッダ１３９が表示されている。カラムヘッダ１３７と同様に、カラムヘッダ１３９は、端末コンテンツ表示部１３８に一覧表示されるコンテンツの属性の名称が表示される。図６および図７では、コンテンツの属性として、タイトル、アーティスト、サイズ、および時間（再生時間）が表示されている。もちろん、本発明においては図６および図７に示したもの以外の属性も表示してもよく、カラムヘッダ１３９への属性の表示順も、図６および図７に示したもの以外の順序であってもよい。また、カラムヘッダ１３９に表示される属性の表示順は、情報処理装置１００のユーザの入力部１１３の操作、例えばマウスのドラッグアンドドロップ操作によって入れ替えが可能であってもよい。
【００６５】
そして、カラムヘッダ１３７と同様に、カラムヘッダ１３９に対して入力部１１３を用いて操作することで、コンテンツの一覧の並び替えを行うことができる。コンテンツの一覧の並び替えは、ＰＣコンテンツ表示部１３６と同様に、上述した並び替え制御部１２６が行う。そして、カラムヘッダ１３９に対する操作でコンテンツの一覧の並び替えを行う場合には、端末コンテンツ表示部１３８におけるコンテンツの種別ごとの表示を保ったままで並び替えを行う。例えば、タイトルで並び替えを行うために、カラムヘッダ１３９の「タイトル」欄をクリックすると、並び替え制御部１２６はミュージック、ビデオ、プレイリストごとに、それぞれのコンテンツの一覧に対してタイトルの昇順または降順による並び替えを行う。
【００６６】
図８は、本発明の一実施形態にかかるコンテンツの一覧のソート方法について説明する流れ図である。以下、図８を用いて本発明の一実施形態にかかるソート方法について説明する。なお、図８では端末コンテンツ表示部１３８に表示されている携帯端末２００のコンテンツの一覧をソートする場合について説明する。
【００６７】
まず、カラムヘッダ１３９において、マウスのクリック等で“アーティスト”カラムを選択する（ステップＳ１０２）。このとき、表示制御部１２４は端末コンテンツ表示部１３８が既に並び替え制御部１２６によってアーティストでソート済みかどうかの判定を行う（ステップＳ１０４）。端末コンテンツ表示部１３８が、既に並び替え制御部１２６によってアーティストでソート済みであると判定すれば、ソート順の昇順／降順を切り替える（ステップＳ１０６）。つまり、端末コンテンツ表示部１３８が並び替え制御部１２６によってアーティストの昇順でソートされていれば、アーティストの降順でソートするように切り替え、並び替え制御部１２６によってアーティストの降順でソートされていれば、アーティストの昇順でソートするように切り替える。
【００６８】
一方、上記ステップＳ１０４において、端末コンテンツ表示部１３８が並び替え制御部１２６によってアーティストでソートされていないと判定すれば、続いて、コンテンツの種別ごとに、その種別において該当するコンテンツが存在するかどうかを、表示制御部１２４で判定する（ステップＳ１０８）。該当するコンテンツが存在しない種別が存在した場合であっても、コンテンツの種別の段分けを変化せずにソートする（ステップＳ１１０）。
【００６９】
一方、上記ステップＳ１０８において、全ての種別で該当するコンテンツが存在していると判定すれば、続いて、コンテンツにアーティスト名が設定されているかどうかを判定する（ステップＳ１１２）。アーティスト名が設定されていないコンテンツが１つ以上存在していれば、アーティスト欄が空白となるようなコンテンツをまとめて表示するように表示制御部１２４で制御する（ステップＳ１１４）。
【００７０】
そして、最終的に、携帯端末２００に記憶され、端末コンテンツ表示部１３８に表示されているコンテンツの一覧を、並び替え制御部１２６によって、コンテンツの種別毎に（図６および図７に示した例では、ミュージック、ビデオ、プレイリスト毎に）アーティスト順でのソートを行う（ステップＳ１１６）。
【００７１】
図９は、本発明の一実施形態にかかるソート方法によって、図７に図示した端末コンテンツ表示部１３８に表示されているコンテンツの一覧を、アーティスト順でソートした場合について説明する説明図である。図９に示したように、本発明の一実施形態にかかるソート方法によって、端末コンテンツ表示部１３８に表示されているコンテンツの一覧をアーティストでソートした場合には、コンテンツの種別の段分けは変化せずに、コンテンツの種別毎に（ここではミュージック、ビデオ、プレイリスト毎に）アーティスト順でソートされる。なお、同一のアーティストのコンテンツが複数存在する場合には、それらのコンテンツをさらにタイトル順で並び替えてもよい。並び替える順序は昇順でも降順でもよく、図９では、同一のアーティストのコンテンツが複数存在する場合にはタイトルの昇順でさらに並び替えを行っている。
【００７２】
以下において、本発明の一実施形態にかかるジュークボックスプログラムの変形例について、図面を参照しながら説明する。
【００７３】
図１０は、本発明の一実施形態にかかるジュークボックスプログラムの変形例について示す説明図である。図１０では、ジュークボックスプログラム１３０の端末コンテンツ表示部１３８の上部に、検索文字列入力部１４０が表示されている。検索文字列入力部１４０には、当初「キーワードを入力」という文字列が表示されており、ユーザが検索文字列入力部１４０に文字を入力すると、検索文字列入力部１４０に表示されていた「キーワードを入力」という文字列が消え、ユーザが入力した文字が表示される。ジュークボックスプログラム１３０は、検索文字列入力部１４０に入力された文字列が入力されると、文字列が入力されるたびに、タイトル、アーティスト名、アルバム名等が部分一致するコンテンツを検索（逐語検索）する。端末コンテンツ表示部１３８に絞り込んで表示する。検索結果は、コンテンツ種別の段分けを保持した状態で表示する。
【００７４】
図１１は、検索文字列入力部１４０に文字列を入力してジュークボックスプログラム１３０で逐語検索を実行した場合の検索結果の一例を示す説明図である。図１１に示した例では、検索文字列入力部１４０に文字列「パラソル」が入力された場合について示している。この場合は、検索文字列入力部１４０に文字列「パラソル」が入力されると、図１１に示したように、ミュージック、ビデオ、プレイリストの段分けは保持されたまま、文字列「パラソル」とタイトルが部分一致するコンテンツが絞り込まれて、端末コンテンツ表示部１３８に表示される。
【００７５】
特定のアーティストのコンテンツを探す場合に、コンテンツ量が増大するとスクロールやソートによって目的のコンテンツを探すのは非常に手間がかかる。そこでキーワード検索を実行すると、指定したキーワードに部分一致するコンテンツの一覧が絞り込まれるので、目的のコンテンツへのアクセスが容易となる。また、コンテンツの一覧を絞り込む場合には逐語検索を実行するので、ユーザの利便性も向上する。
【００７６】
図１２は、本発明の一実施形態にかかるジュークボックスプログラムのさらに別の変形例について示す説明図である。図１２では、端末コンテンツ表示部１３８において楽曲にかかるコンテンツの一覧を示す「ミュージック」欄で、コンテンツの一覧をアルバム単位にまとめてツリー表示した場合について示したものである。この場合においても、コンテンツの種別の段組みを保ったまま、コンテンツの種別ごとに、ツリー表示されたコンテンツの一覧を並び替えてもよい。
【００７７】
例えば、情報処理装置１００のユーザがカラムヘッダ１３９の「アーティスト」欄をマウスのクリック等の操作で選択した場合には、並び替え制御部１２６は、端末コンテンツ表示部１３８に表示されたコンテンツの種別の段組みを保ったまま、アーティストの名称による並び替えを実行する。この場合には、端末コンテンツ表示部１３８においてコンテンツの一覧をアルバム単位にまとめてツリー表示しているので、当該ツリー表示も保った状態で並び替えが行われ、アーティストの名称によって並び替えられた後のコンテンツの一覧がツリー形式で表示される。
【００７８】
図１３は、本発明の一実施形態にかかるジュークボックスプログラムの別の変形例について示す説明図である。図１３では、ジュークボックスプログラム１３０の端末コンテンツ表示部１３８の下部に、ツリー開閉ボタン１４２が表示されている。ツリー開閉ボタン１４２は、端末コンテンツ表示部１３８においてコンテンツの一覧をツリー表示した場合において、全てのツリーをまとめて開閉するものである。ツリー表示とは、例えばコンテンツを同一のタイトル単位、同一のアーティスト単位、同一のアルバム単位等で入れ子構造にして表示するものである。
【００７９】
図１４は、ツリー開閉ボタン１４２をマウスのクリック等で押下して、全てのツリーを閉じて表示した場合について示す説明図である。このように、全てのツリーを一度に開閉することで、コンテンツ数が増大してアルバムやビデオを個別に開閉することが面倒である場合に、まとめてツリーを開閉でき、ユーザの利便性も向上する。
【００８０】
図１５は、本発明の一実施形態にかかるジュークボックスプログラムのさらに別の変形例について示す説明図である。図１５では、端末コンテンツ表示部１３８において楽曲にかかるコンテンツの一覧を示す「ミュージック」欄、および映像にかかるコンテンツの一覧を示す「ビデオ」欄で、コンテンツの一覧をサムネイル表示した場合について示したものである。この場合においても、コンテンツの種別の段組みを保ったまま、コンテンツの種別ごとに、サムネイル表示されたコンテンツの一覧を並び替えてもよい。
【００８１】
例えば、情報処理装置１００のユーザがカラムヘッダ１３９の「タイトル」欄をマウスのクリック等の操作で選択した場合には、並び替え制御部１２６は、端末コンテンツ表示部１３８に表示されたコンテンツの種別の段組みを保ったまま、タイトル名による並び替えを実行する。この場合には、端末コンテンツ表示部１３８においてコンテンツの一覧をサムネイル表示しているので、当該サムネイル表示も保った状態で並び替えが行われ、アーティストの名称によって並び替えられた後のコンテンツの一覧がサムネイル形式で表示される。
【００８２】
以上、本発明の一実施形態にかかる、コンテンツの一覧のソートについて、複数の変形例も含めて説明した。なお、本実施形態において、共通していないコンテンツ属性情報を指定してコンテンツの一覧を並び替える場合には、当該コンテンツ属性情報を有しないコンテンツ種別については、他のコンテンツ属性情報でコンテンツの一覧を並び替えてもよい。例えば、楽曲に関するコンテンツでは「アルバム」という属性があるが、映像に関するコンテンツでは「アルバム」という属性は存在しない。従って、カラムヘッダ１３９に「アルバム」欄が表示されていて、ユーザがカラムヘッダ１３９の「アルバム」欄を選択してコンテンツの一覧を並び替える場合には、並び替え制御部１２６は、楽曲に関するコンテンツについてはアルバムの名称について並び替えを行い、映像に関するコンテンツについてはアルバム以外の属性、例えばタイトルについて並び替えを行ってもよい。
【００８３】
以上説明したように本発明の一実施形態によれば、複数のコンテンツ種別に属するコンテンツの一覧を表示する際には、コンテンツの種別ごとにコンテンツの一覧をまとめて表示を行う。また、コンテンツの種別ごとに表示されたコンテンツの一覧を並び替える際には、コンテンツの種別ごとの段組みを保ったままでコンテンツの種別ごとに並び替えを行うことで、コンテンツの並び替えを行っても異なる種別のコンテンツが混在した状態で表示されず、コンテンツの種別ごとにソートされる。これによって、ユーザは目的のコンテンツを探し出すことが容易となり、情報処理装置１００から携帯端末２００へのコンテンツの転送や、携帯端末２００から情報処理装置１００へのコンテンツのバックアップ、携帯端末２００に記憶されたコンテンツの削除等の利便性が向上する。
【００８４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８５】
例えば、上記実施形態では、情報処理装置１００に携帯端末２００を接続した場合に、ジュークボックスプログラムにおいて、携帯端末２００に記憶されたコンテンツの一覧を、コンテンツの種別毎に一覧表示を行ったが、本発明はかかる例に限定されない。例えば、情報処理装置に他の機器を接続した場合に、当該接続された機器を識別する情報を情報処理装置で認識し、当該情報に基づいて、情報処理装置に接続した機種によっては、コンテンツの種別毎に一覧表示を行わず、コンテンツの種別を問わずにコンテンツの一覧を表示してもよい。この場合において、例えばパーソナルコンピュータに携帯電話を接続した場合にはコンテンツの種別毎に一覧を行い、楽曲の再生が主に行われる携帯型音楽再生装置を接続した場合には、コンテンツの種別毎の一覧表示を行わないようにしてもよい。
【００８６】
また、上記実施形態では、ジュークボックスプログラムにおいて、携帯端末２００に記憶されたコンテンツの一覧を、コンテンツの種別毎に一覧表示を行ったが、情報処理装置１００に保存されたコンテンツについても同様に、コンテンツの種別ごとに段分けを行って一覧表示を行い、コンテンツの種別ごとにソートを行ってもよい。情報処理装置１００に保存されたコンテンツについてもコンテンツの種別ごとに段分けを行って一覧表示を行って、コンテンツの種別ごとにソートを行うことで、コンテンツの管理を容易に行うことができる。
【産業上の利用可能性】
【００８７】
本発明は、情報処理装置、情報処理方法、コンテンツ授受システム、およびコンピュータプログラムに適用可能であり、特にコンテンツを授受する報処理装置、情報処理方法、コンテンツ授受システム、およびコンピュータプログラムに適用可能である。
【図面の簡単な説明】
【００８８】
【図１】本発明の一実施形態にかかるコンテンツ授受システム１０について説明する説明図である。
【図２】本発明の一実施形態にかかる情報処理装置１００の構成について説明する説明図である。
【図３】本発明の一実施形態にかかる情報処理装置１００の機能構成について説明する説明図である。
【図４】本発明の一実施形態にかかる携帯端末２００の構成について説明する説明図である。
【図５】情報処理装置１００に表示する画面の一例を示す説明図である。
【図６】情報処理装置１００に表示する画面の一例を示す説明図である。
【図７】図６に示したジュークボックスプログラム１３０の画面から、端末コンテンツ表示部１３８を抜き出して説明する説明図である。
【図８】本発明の一実施形態にかかるコンテンツの一覧のソート方法について説明する流れ図である。
【図９】本発明の一実施形態にかかるソート方法によってアーティスト順でソートした場合について説明する説明図である。
【図１０】本発明の一実施形態にかかるジュークボックスプログラムの変形例について示す説明図である。
【図１１】ジュークボックスプログラム１３０で逐語検索を実行した場合の検索結果の一例を示す説明図である。
【図１２】本発明の一実施形態にかかるジュークボックスプログラムの別の変形例について示す説明図である。
【図１３】ツリー開閉ボタンを押下して、全てのツリーを閉じて表示した場合について示す説明図である。
【図１４】本発明の一実施形態にかかるジュークボックスプログラムのさらに別の変形例について示す説明図である。
【図１５】本発明の一実施形態にかかるジュークボックスプログラムのさらに別の変形例について示す説明図である。
【符号の説明】
【００８９】
１０    コンテンツ授受システム
１００    情報処理装置
１２２    識別情報取得部
１２４    表示制御部
１２６    並び替え制御部
１３２    コンテンツ操作部
１３３    検索文字列入力部
１３４    サイドバー
１３６    ＰＣコンテンツ表示部
１３７、１３９    カラムヘッダ
１３８    端末コンテンツ表示部
１４０    検索文字列入力部
１４２    ツリー開閉ボタン
２００    携帯端末
【図１】
0005393977.tif 000002
【図２】
0005393977.tif 000003
【図３】
0005393977.tif 000004
【図４】
0005393977.tif 000005
【図５】
0005393977.tif 000006
【図６】
0005393977.tif 000007
【図７】
0005393977.tif 000008
【図８】
0005393977.tif 000009
【図９】
0005393977.tif 000010
【図１０】
0005393977.tif 000011
【図１１】
0005393977.tif 000012
【図１２】
0005393977.tif 000013
【図１３】
0005393977.tif 000014
【図１４】
0005393977.tif 000015
【図１５】
0005393977.tif 000016